(57)【要約】【課題】  所定の径の取付孔を有するアンカーボルト支持部材に適用することにより、取付孔より径の小さいアンカーボルトを支持することができるアンカーボルト支持具を提供する。【解決手段】  アンカーボルト支持具１０は、金属製の厚肉円筒形で対向する一対の平面部１２を有する本体１１と、本体１１の一方の平面部１２から同軸状にわずかに突出した本体より径の小さい円形の突出部１３を有し、突出部１３の中心にて突出部１３及び本体１１を貫通する内周面にねじ溝が形成された挿通孔１４を設けている。アンカーボルト支持具１０は、突出部１３にて取付孔１９に上面側から嵌め合わされて、アンカーボルト支持部材１６に取り付けられる。【選択図】    図３
2006348529.tif 000002
【特許請求の範囲】
【請求項１】
相対向して立設された一対の型枠列の間を跨いで両上端に固定される中間位置に取付孔を有する板状のアンカーボルト支持部材の該取付孔に、上面側から嵌め合わせて取り付けられるアンカーボルト支持具であって、
対向する一対の平面部を有する立体形状の本体と、該本体の前記一方の平面部からわずかに突出した前記取付孔と同一径である円形の突出部とを有すると共に、該突出部の軸心位置にて該突出部及び本体を軸方向に貫通する前記取付孔より径が小さく内周面にねじ溝が形成された挿通孔を有してなり、前記突出部にて前記取付孔に挿嵌され、
一端側に設けたネジ溝にナットを螺着したアンカーボルトが、該一端側にて前記挿通孔に下側から螺着されることにより前記アンカーボルト支持部材に固定されることを特徴とするアンカーボルト支持具。
【請求項２】
前記突出部の突出寸法が、前記アンカーボルト支持部材の板厚より小さいことを特徴とする前記請求項１に記載のアンカーボルト支持具。
【請求項３】
前記本体が、前記挿通孔を中心に有する角柱形状であることを特徴とする前記請求項１又は２に記載のアンカーボルト支持具。
【発明の詳細な説明】
【技術分野】
【０００１】
本発明は、相対向して立設された一対の型枠列の間を跨いで両上端に固定される中間位置に取付孔を有する板状のアンカーボルト支持部材の取付孔に取り付けられて、アンカーボルトを支持するアンカーボルト支持具に関する。
【背景技術】
【０００２】
アンカーボルト支持部材としては、例えば特許文献１に示すように、長尺状金属板である基板部材を設けており、その両端わずかの部分が折り曲げられた一対の曲げ部になっており、さらに基板部材の長手方向中央にアンカーボルトを挿通する取付孔を設けたものがある。このアンカーボルト支持部材は、一対の曲げ部を、地上に立設されて互いに対向した一対の型枠の上端にて外側面に引っ掛けることにより型枠に装着される。このアンカーボルト支持部材の取付孔にアンカーボルトを挿通させて、アンカーボルトの上端部に螺着した一対のナットによってアンカーボルト支持部材を両面から挟んで締め付けることにより、アンカーボルトが取付孔から下方に垂下した状態でアンカーボルト支持部材に強固に支持されるようになっている。このように、アンカーボルトが型枠間の中央位置に固定されるため、型枠間に打設された基礎コンクリート上に建築物等がアンカーボルトによって位置ずれを生じることなく適正位置に設けられる。
【特許文献１】実用新案登録第３０７７０２９号
【０００３】
ところで、アンカーボルトは、その用途や使用場所によって径が異なる。そのため、規定の径の取付孔を有する単一種類のアンカーボルト支持部材では、取付孔より径の小さいアンカーボルトを使用する場合に、アンカーボルトが動くことによりその正確な位置を決めることができなくなる。その結果、型枠間に打設されたコンクリート内でのアンカーボルトの位置が中心からずれることになり、コンクリート上に設けられる建築物に位置ずれを生じるという不具合がある。そのため、アンカーボルトの径によって、取付孔の径の異なる複数種類のアンカーボルト支持部材を用意する必要があった。その結果、アンカーボルト支持部材の価格が高価になると共に、異なった種類のアンカーボルト支持部材を適正に管理する手間が非常に煩雑で、管理コストも高価になっていた。
【発明の開示】
【発明が解決しようとする課題】
【０００４】
本発明は、上記した問題を解決しようとするもので、所定の径の取付孔を有するアンカーボルト支持部材に適用することにより、取付孔と異なった径のアンカーボルトを位置ずれのないように適正位置に配置できるアンカーボルト支持具を提供することを目的とする。
【課題を解決するための手段】
【０００５】
上記目的を達成するために請求項１の発明の構成上の特徴は、相対向して立設された一対の型枠列の間を跨いで両上端に固定される中央に取付孔を有する板状のアンカーボルト支持部材の取付孔に、上面側から嵌め合わせて取り付けられるアンカーボルト支持具であって、対向する一対の平面部を有する立体形状の本体と、本体の一方の平面部からわずかに突出した取付孔と同一径である円形の突出部とを有すると共に、突出部の軸心位置にて突出部及び本体を軸方向に貫通する取付孔より径が小さく内周面にねじ溝が形成された挿通孔を有してなり、突出部にて取付孔に挿嵌され、一端側に設けたネジ溝にナットを螺着したアンカーボルトが、一端側にて挿通孔に下側から螺着されることによりアンカーボルト支持部材に固定されることにある。
【０００６】
上記請求項１の発明においては、相対向して立設された一対の型枠列の間を跨いで両上端に固定される板状のアンカーボルト支持部材の中間の所定位置に設けた取付孔に対して、それより径の小さいアンカーボルトを使用する場合は、そのアンカーボルトの径に合わせた挿通穴を有するアンカーボルト支持具を、突出部にてアンカーボルト支持部材の中間位置に設けた取付孔に上面側から嵌め合わせて取り付けることができる。それにより、アンカーボルト支持部材の中間位置に、取付孔より径が小さくかつアンカーボルトの外径に合わせた挿通孔が配設される。アンカーボルトの一端側に設けたねじ溝にナットを螺着して、挿通孔に下側からアンカーボルトを挿入して支持具に螺着させることにより、アンカーボルト支持部材が両面側からナットとアンカーボルト支持具によって締め付けられて、アンカーボルトがアンカーボルト支持部材に強固に固定される。これにより、アンカーボルトがアンカーボルト支持具によってアンカーボルト支持部材の中央位置に位置ズレすることなく配置され、アンカーボルト支持具によって支持されて下方に向けて吊るされる。そのため、アンカーボルトが、型枠間に打設された基礎コンクリートの所定位置に位置ずれを生じることなく確実に配設される。
【０００７】
また、本発明において、アンカーボルト支持具の突出部の突出寸法が、アンカーボルト支持部材の板厚より小さいことが望ましい。これにより、アンカーボルトに螺着されたナットとアンカーボルト支持具によるアンカーボルト支持部材に対する締め付けが容易にかつ確実に行われる。
【０００８】
また、本発明において、本体が、挿通孔を中心に有する角柱形状であることが望ましい。これにより、アンカーボルト支持具を、ボルト、ナット等の締め付け用の締付治具を用いて容易に締め付けることができる。
【発明の効果】
【０００９】
本発明によれば、所定の径の取付孔を有する一種類のアンカーボルト支持部材にアンカーボルト支持具を適用することにより、取付孔より径の小さいアンカーボルトを位置ずれを起こすことなく適正に支持するようにできるため、そのアンカーボルトが型枠間に打設されたコンクリート内の規定位置に確実に配設される。その結果、本発明においては、型枠間に打設された基礎コンクリート上に組み合わされる建築物等が、アンカーボルトによって位置ずれを生じることなく適正位置に配設される。
【発明を実施するための最良の形態】
【００１０】
以下、本発明の一実施例について図面を用いて説明する。図１，図２は同実施例であるアンカーボルト支持具１０を斜視図及び一部破断正面図により示したものであり、図３はアンカーボルト支持具の使用状態を拡大断面図により示したものである。
【００１１】
アンカーボルト支持具１０は、金属製の厚肉で六角筒形で対向する一対の平面部１２を有する本体１１と、本体１１の一方の平面部１２（図示下面）から同軸状にわずかに突出した本体１１より小さい円形の突出部１３を有し、突出部１３の中心にて突出部１３及び本体１１を貫通する内周面にねじ溝が形成された挿通孔１４を設けている。本実施例では、アンカーボルト支持具１０は、本体１１が長さ１５ｍｍ×側面間の間隔３０ｍｍ、突出部１３が長さ３ｍｍ×外径２２ｍｍφで、挿通孔１４内径が１６ｍｍφとなっている。また、本体１１については、ボルト、ナット等の締め付け用の締付治具を用いて容易に締め付けることができるように六角筒形状にされている。なお、本体１１については六角筒に限らなく円筒形等でもよいが、締付治具で締め付け可能なように切り欠き部を設けた形状であることが好ましい。
【００１２】
アンカーボルト支持部材１６は、図４−１，２に示すように、長尺で長方形の金属板である長尺状の基板１７と、その長手方向両端で直角に折り曲げられた一対の係止片１８とを有している。基板１７の長手方向中央位置には取付孔１９が形成されており、また基板１７の長手方向両端の近傍にはそれぞれ固定孔１７ａが形成されている。なお、取付孔１９の位置については、基板１７の中央以外に設けられる場合もある。また、アンカーボルト支持部材については、実施例に示したものに限らず、種々の構造のものが用いられ、いずれの支持部材に対しても、本発明を適用することができる。
【００１３】
アンカーボルト支持部材１６は、図５，図６に示すように、互いに対向して立設された型枠列３１の上端間を跨いで基部１７が載置されて、両型枠列３１に係止片１８により係止され、固定孔１７ａにボルト２１を螺合させることにより両型枠列３１に固定される。アンカーボルト２３が取付孔１９と同一径である通常の太さの場合は、図６に示すように、アンカーボルト２３の一端側（図示上端側）に設けたねじ溝２３ａにナット２６を螺着して、従来通り挿通孔１９に下側から挿入し、挿通孔１９から突出したねじ溝２３ａにナット２７を螺合させる。さらに、両ナット２６，２７でアンカーボルト支持部材１６を両側から締め付けることにより、アンカーボルト２３がアンカーボルト支持部材１６に垂直状態で位置ずれすることなく支持されて吊るされる。その結果、アンカーボルト２３が型枠２１間に打設された基礎コンクリート内の中央位置に固定されるため、型枠２１間に打設された基礎コンクリート上に設置される建築物等が、アンカーボルト２３によって位置ずれを生じることなく適正位置に設けられる。
【００１４】
つぎに、アンカーボルト支持具１０の使用について説明する。
アンカーボルト２５の径が取付孔１９の径より小さい場合は、アンカーボルト２５の径に合わせた挿通孔１４を有するアンカーボルト支持具１０が用意される。このアンカーボルト支持具１０が、図３及び図５に示すように、突出部１３にてアンカーボルト支持部材１６の中央に設けた取付孔１９に上面側から嵌め合わせることにより、アンカーボルト支持部材１６に取り付けられる。これにより、アンカーボルト支持部材１６中央に、取付孔１９より径の小さい挿通孔１４が配設される。
【００１５】
挿通孔１４の径に合った外径のアンカーボルト２５の一端側（図示上端側）に設けたねじ溝２５ａにナット２４が螺着されて一端近傍位置に配置された状態で、アンカーボルト２５が取付孔１９に下側から挿入される。さらに、アンカーボルト２５の先端側をアンカーボルト支持具１０の挿通孔１４に螺着させることにより、アンカーボルト支持部材１６が両面側からナット２４とアンカーボルト支持具１０に締め付けられて、アンカーボルト２５がアンカーボルト支持部材１６に強固に固定される。これにより、アンカーボルト２５がアンカーボルト支持具１０によってアンカーボルト支持部材１６の中央位置に位置ズレすることなく配置され、アンカーボルト支持具１０に支持されて下方に向けて吊るされる。
【００１６】
その結果、実施例によれば、所定の径の取付孔１９を有する一種類のアンカーボルト支持部材１６にアンカーボルト支持具１０を適用することにより、取付孔１９より径の小さいアンカーボルト２５が位置ずれを起こすことなく適正に支持するようにでき、このアンカーボルト２５が型枠２１間の中央位置に固定される。その結果、本実施例においては、型枠２１間に打設された基礎コンクリート上に設置される建築物等が、アンカーボルト２５によって位置ずれを生じることなく適正位置に設けられる。また、アンカーボルト支持具１０は、使い捨てではなく繰り返し使用可能なので、部材コストが相対的に非常に安価である。
【００１７】
なお、上記実施例においては挿通孔１４の径が１６ｍｍφのアンカーボルト支持具１０について説明したが、径の異なるアンカーボルトに対しては、異なる径の挿通孔を有するアンカーボルト支持具を用意することができる。また、実施例においては、アンカーボルト支持部材１６の取付孔１９も、アンカーボルト２５を従来のように直接支持するために用いられているが、これに代えてこの取付孔をアンカーボルト支持具の取り付けのみに用い、種々の径の異なるアンカーボルトに対しては、種々の径の挿通孔を有するアンカーボルト支持具を用意するようにすることもできる。
【００１８】
また、実施例においては、本発明をアンカーボルト支持具を住宅の基礎コンクリートに埋設されるアンカーボルトに適用した例について説明したが、これに限らず土木用のいわゆるメタルに対しても本発明を同様に適用することができる。その他、上記実施例に示したアンカーボルト支持具については一例であり、本発明の主旨を逸脱しない範囲で種々変更して実施することが可能である。
【産業上の利用可能性】
【００１９】
本発明は、アンカーボルト支持具により、所定の径の取付孔を有する一種類のアンカーボルト支持部材を用いても、取付孔より径の小さい種々のアンカーボルトを位置ずれの無いように支持できるので、有用である。
【図面の簡単な説明】
【００２０】
【図１】本発明の一実施例であるアンカーボルト支持具を示す斜視図である。
【図２】同アンカーボルト支持具を示す一部破断正面図である。
【図３】同アンカーボルト支持具の使用状態を示す拡大断面図である。
【図４−１】同アンカーボルト支持部材を示す底面図である。
【図４−２】同アンカーボルト支持部材を示す正面図である。
【図５】径の細いアンカーボルトをアンカーボルト支持具によってアンカーボルト支持部材に取り付けた状態を示す正面図である。
【図６】通常の太い径のアンカーボルトをアンカーボルト支持部材に取り付けた状態を示す正面図である。
【符号の説明】
【００２１】
１０…アンカーボルト支持具、１１…本体、１３…突出部、１４…挿通孔、１６…アンカーボルト支持部材、１９…取付孔、２１…型枠、２３，２５…アンカーボルト、２４，２６，２７…ナット。
【図１】
2006348529.tif 000003
【図２】
2006348529.tif 000004
【図３】
2006348529.tif 000005
【図４−１】
2006348529.tif 000006
【図４−２】
2006348529.tif 000007
【図５】
2006348529.tif 000008
【図６】
2006348529.tif 000009